(57)【要約】  【課題】  鉢植えの植物に対する水やりや液体施肥の手間を省くために、ペットボトルを使った水等の自動点滴装置の構造を簡単にし、しかも、水等の点滴量を簡単に調節出来るボトルキャップを提供しようとするものである。  【解決手段】  ペットボトルに装着したボトルキャップ天面の穴の開け方を工夫し、水等の点滴量を簡単に調節出来る通水パイプを取り付けて、数日間にわたって自動的に水の滴下を行うようにするものである。具体的には、ボトルキャップ天面の穴は、空気の道入穴と通水パイプを挿通する穴を一体として開け、浸透芯材の入った蛇腹状部を設けた通水パイプを出し入れすることによって水等の点滴量を調節で出来るようになっている。  【選択図】図３
0003129384.tif 000002
【実用新案登録請求の範囲】
【請求項１】
ペットボトル１の口部に脱着可能なボトルキャップ２の天面３の中央に通水パイプ４を挿通可能の穴５を設け、この穴に中心方向の細経部に向けて二つ以上の先端を突出させたパイプ保持部６を設け、前記パイプ保持部を通して、前記キャップ天面の中央に挿通される通水パイプ４を設け、この通水パイプの外周に、前記パイプ保持部６と摩擦する蛇腹状部７を設け、更に前記通水パイプの内部に浸透芯材８を設けた。
【考案の詳細な説明】
【技術分野】
【０００１】
本考案は、ペットボトルを使って植物に水や液体肥料の供給を自動的に行うために、水等の点滴量の調節を容易に行うことが出来るボトルキャップに関するものである。
【背景技術】
【０００２】
特許文献１（特開２００４−１４１０４５号公報）は、使用済みの空ボトルの口部に脱着可能に装着して、自動給水具又はじょうろとしても使用できるボトルキャップであるが、空気導入パイプが設けられており構造が複雑である。又、据え置きのため水の滴下速度を随意に調節できない問題がある。
又、特許文献２（特開２０００−２８７５６４号公報）は、ペットボトルのキャップに繊維質のひもを通したチューブを取り付け、ボトル本体に空気導入穴を設けて先端を土にさして水の滴下を行うものであるが、空気導入穴の場所や大きさは植物の種類や大きさによって決める必要があるが、その開け方は経験によって決める必要があるので難しく、しかも滴下速度を随意に調節出来ない問題がある。
【考案の開示】
【考案が解決しようとする課題】
【０００３】
鉢植えの植物に対する水や液体肥料の供給を行う手間を省くために、水等の点滴装置の構造を簡単にし、水等の滴下速度つまり点滴量を簡単に調節出来るようにすることを課題としている。
【課題を解決するための手段】
【０００４】
室内の植物が枯死しないよう水の供給を数日間にわたって自動的に行うため、水を入れたペットボトルや市販されている液体肥料の入ったペットボトルに、植物の種類や大きさに対応して水等の点滴量を簡単に調節できる着脱可能なボトルキャップを考案したものである。水のかわりに液体肥料を入れれば、枯死を防ぐと同時に施肥をすることも出来る。
ペットボトルの口部に着脱可能なボトルキャップ天面の穴は、空気の導入穴と通水パイプを挿通する穴とを一体として開け、この穴は空気を導入するため通水パイプの直径より少し大きくするが、二つ以上のパイプ保持部を設けることによって通水パイプを確実に保持することが出来る。このように自動点滴装置の構造をこれまでの装置に比べ簡単にしたことを考案したものである。
水等の点滴用の通水パイプには、蛇腹状部の付いたものを使用することにより、通水パイプの保持が確実に行えるとともに、通水パイプを出し入れすることによって水等の点滴量を簡単に調節出来るようにした。また、通水パイプに浸透芯材を入れることにより、水の出方を円滑かつ安定化するように考案したものである。水等の点滴量を多くするには、ボトルキャップから通水パイプを引き出して長くする。点滴量を少なくするには、通水パイプを押し込んで短くする。
ペットボトルの口部に装着したボトルキャップの穴を開ける天面は、その厚みが増すほどに水の表面張力などにより空気の導入が円滑に行われなくなり、水等の点滴量の調整が難しくなるので、薄い方がよく、通水パイプの接触する部分つまりパイプ保持部は薄くしてある。強度等を考慮すれば、０．３ミリメートルくらいが適当である。
【考案の効果】
【０００５】
本考案は、構造が簡単なため、制作するのが容易であると同時に、設置が容易に行えるということである。しかも、蛇腹状部の付いた通水パイプを使用することにより、水等の点滴量を簡単に調節することが出来、植物の種類や大きさなどに制限されずに対応できるものである。また、容器の大きさを変えることによって、点滴可能な日数を増減することも出来、水やりなどの手間を大幅に改善できる特徴がある。
【考案を実施するための最良の形態】
【０００６】
図１は、本考案のボトルキャップをペットボトルに装着し、容器に水等を入れて鉢植えの植物の上につり下げて実際に使用する場合を示したものである。または土に固定する器具に取り付けて使用することもできる。使う場合は、点滴用の通水パイプを出し入れして調節し、それぞれの植物に適した水の量にする。液体肥料をやる場合は、濃度を調節することによって水やりと同時に行うことが出来る。
【０００７】
図２は、穴を開けたボトルキャップの天面である。穴の中央部が通水パイプを挿す場所である。この図の場合は二つのパイプ保持部が通水パイプの蛇腹状部と接し、通水パイプを保持する役割を持っている。二つのパイプ保持部以外の箇所は、穴の大きさが通水パイプの直径より大きくなっており、空気を導入する役割を持っている。空気導入穴を点滴用通水パイプの穴と一体化することで、装置の構造が簡単になっている。通水パイプを保持する突起は、二つ以上なら問題がない。
【０００８】
図３は、ボトルキャップに通水パイプを挿通したもので、蛇腹状部を出し入れすることによって水等の点滴量が簡単に調節できるようになっている。
【図面の簡単な説明】
【０００９】
【図１】ペットボトルの口部にボトルキャップを取り付けて、実際に使用するときの側面図である。
【図２】ボトルキャップ天面の穴の開け方を示した図である。
【図３】ボトルキャップに蛇腹状部を設けた通水パイプを挿通した断面図である。
【符号の説明】
【００１０】
１  ペットボトル
２  ボトルキャップ
３  ボトルキャップの天面
４  通水パイプ
５  穴
６  パイプ保持部
７  蛇腹状部
８  浸透芯材
【図１】
0003129384.tif 000003
【図２】
0003129384.tif 000004
【図３】
0003129384.tif 000005
【手続補正書】
【提出日】平成18年12月1日(2006.12.1)
【手続補正１】
【補正対象書類名】実用新案登録請求の範囲
【補正対象項目名】請求項１
【補正方法】変更
【補正の内容】
【請求項１】
ペットボトル１の口部に脱着可能なボトルキャップ２の天面３の中央に通水パイプ４を挿通可能の穴５を設け、この穴に中心方向の細経部に向けて二つ以上の先端を突出させたパイプ保持部６を設け、前記パイプ保持部を通して、前記キャップ天面の中央に挿通される通水パイプ４を設け、この通水パイプの外周に、前記パイプ保持部６と摩擦する蛇腹状部７を設け、更に前記通水パイプの内部に浸透芯材８を設けた植物への自動給水用の点滴ボトルキャップ。
【手続補正２】
【補正対象書類名】明細書
【補正対象項目名】全文
【補正方法】変更
【補正の内容】
【考案の詳細な説明】
【技術分野】
【０００１】
本考案は、ペットボトルを使って植物に水や液体肥料の供給を自動的に行うために、水等の点滴量の調節を容易に行うことが出来る点滴ボトルキャップに関するものである。
【背景技術】
【０００２】
特許文献１（特開２００４−１４１０４５号公報）は、使用済みの空ボトルの口部に脱着可能に装着して、自動給水具又はじょうろとしても使用できるボトルキャップであるが、空気導入パイプが設けられており構造が複雑である。又、据え置きのため水の滴下速度を随意に調節できない問題がある。
又、特許文献２（特開２０００−２８７５６４号公報）は、ペットボトルのキャップに繊維質のひもを通したチューブを取り付け、ボトル本体に空気導入穴を設けて先端を土にさして水の滴下を行うものであるが、空気導入穴の場所や大きさは植物の種類や大きさによって決める必要があるが、その開け方は経験によって決める必要があるので難しく、しかも滴下速度を随意に調節出来ない問題がある。
【考案の開示】
【考案が解決しようとする課題】
【０００３】
鉢植えの植物に対する水や液体肥料の供給を行う手間を省くために、水等の点滴装置の構造を簡単にし、水等の滴下速度つまり点滴量を簡単に調節出来る点滴ボトルキャップを提供することを課題としている。
【課題を解決するための手段】
【０００４】
室内の植物が枯死しないよう水の供給を数日間にわたって自動的に行うため、水を入れたペットボトルや市販されている液体肥料の入ったペットボトルに、植物の種類や大きさに対応して水等の点滴量を簡単に調節できる着脱可能な点滴ボトルキャップを考案したものである。水のかわりに液体肥料を入れれば、枯死を防ぐと同時に施肥をすることも出来る。
ペットボトルの口部に着脱可能な点滴ボトルキャップ天面の穴は、空気の導入穴と通水パイプを挿通する穴とを一体として開け、この穴は空気を導入するため通水パイプの直径より少し大きくするが、二つ以上のパイプ保持部を設けることによって通水パイプを確実に保持することが出来る。このように自動点滴装置の構造をこれまでの装置に比べ簡単にしたことを考案したものである。
水等の点滴用の通水パイプには、蛇腹状部の付いたものを使用することにより、通水パイプの保持が確実に行えるとともに、通水パイプを出し入れすることによって水等の点滴量を簡単に調節出来るようにした。また、通水パイプに浸透芯材を入れることにより、水の出方を円滑かつ安定化するように考案したものである。水等の点滴量を多くするには、点滴ボトルキャップから通水パイプを引き出して長くする。点滴量を少なくするには、通水パイプを押し込んで短くする。
ペットボトルの口部に装着した点滴ボトルキャップの穴を開ける天面は、その厚みが増すほどに水の表面張力などにより空気の導入が円滑に行われなくなり、水等の点滴量の調整が難しくなるので、薄い方がよく、通水パイプの接触する部分つまりパイプ保持部は薄くしてある。強度等を考慮すれば、０．３ミリメートルくらいが適当である。
【考案の効果】
【０００５】
本考案の点滴ボトルキャップは、構造が簡単なため、制作するのが容易であると同時に、設置が容易に行えるということである。しかも、蛇腹状部の付いた通水パイプを使用することにより、水等の点滴量を簡単に調節することが出来、植物の種類や大きさなどに制限されずに対応できるものである。また、容器の大きさを変えることによって、点滴可能な日数を増減することも出来、水やりなどの手間を大幅に改善できる特徴がある。
【考案を実施するための最良の形態】
【０００６】
図１は、ペットボトル１に本考案の点滴ボトルキャップ２を装着し、容器に水または液体肥料を入れて、鉢植えの植物の上につり下げて実際に使用する状態を示したものである。使い方は、点滴ボトルキャップの天面３の穴に挿した通水パイプ４を出し入れして点滴する水等の量を調節する。通水パイプの出し入れは蛇腹状部７の範囲とし、通水パイプの浸透心材８によって点滴量を安定的に、それぞれの植物に適したものに調節する。液体肥料の場合は、濃度を調節することによって水やりと施肥を同時に行うことが出来る。また実際の使用に当たっては、つり下げるだけでなく、土に固定する器具に取り付けることもできる。
【０００７】
図２は、点滴ボトルキャップの天面３に、通水パイプの挿通と空気の導入を行う穴５を一体として開けた図である。穴の中央部が通水パイプ４を挿す場所である。この図の場合は、二つのパイプ保持部６が通水パイプの蛇腹状部７と接し、通水パイプを保持する役割を持っている。二つのパイプ保持部以外の箇所は、穴の大きさが通水パイプの直径より大きくなっており、空気を導入するすることが出来る。通水パイプを保持するための突起は、空気導入の穴が確保できれば、三つ以上にしてもよい。
【０００８】
図３は、ペットボトル１に点滴ボトルキャップ２を取り付け、点滴ボトルキャップの天面３に浸透心材８を入れた通水パイプ４を挿通したものであり、パイプ保持部６に保持された蛇腹状部７を出し入れすることによって水等の点滴量が簡単に調節できるようになっている。
【図面の簡単な説明】
【０００９】
【図１】ペットボトルの口部に点滴ボトルキャップを取り付けて、実際に使用するときの側面図である。
【図２】点滴ボトルキャップ天面の穴の開け方を示した図である。
【図３】点滴ボトルキャップに蛇腹状部を設けた通水パイプを挿通した断面図である。
【符号の説明】
【００１０】
１  ペットボトル
２  点滴ボトルキャップ
３  点滴ボトルキャップの天面
４  通水パイプ
５  穴
６  パイプ保持部
７  蛇腹状部
８  浸透芯材